(57)【特許請求の範囲】
【請求項１】
ロールペーパの中心孔に差し込まれて前記ロールペーパを回転可能に支持するためのロールペーパ支持部と、
このロールペーパ支持部に支持されたロールペーパの上側から手前側に到る領域のいずれかに位置し、かつ基端部側が略水平な中心軸周りに回転可能に支持されているペーパ押さえ用の可動部と、
を備えている、ロールペーパホルダであって、
前記ペーパ押さえ用の可動部は、
前記ロールペーパの上面部から前面部近傍に到る領域のうち、前記ロールペーパの幅方向に延びる略直線状の領域に接触可能なペーパ押さえ部と、
このペーパ押さえ部よりも前記ペーパ押さえ用の可動部の先端側に位置し、かつ前記ロールペーパの幅方向に略直線状に延びた線状またはバー状の形態を有するペーパ切断補助部と、
前記ペーパ押さえ部および前記ペーパ切断補助部の相互間に形成され、かつ前記ロールペーパの繰り出し部分を通過させて前記ペーパ切断補助部の手前側に配するように導くための開口部と、
を有しており、
略コ字状に屈曲された線状またはバー状の部材を用いて構成されており、かつ略水平な直線状に延びた線状またはバー状の部分を有する部位として形成された前記ロールペーパ支持部、このロールペーパ支持部の後方または上方に位置する支持基部、およびこの支持基部の一端部と前記ロールペーパ支持部の基端部とを繋ぐ側部を有しているホルダ本体部と、
前記ホルダ本体部の前記支持基部に取り付けられ、かつ前記ペーパ押さえ用の可動部の基端側部分を回転可能に支持するコネクタと、
前記ロールペーパホルダを取付け対象部位に取り付けるための部材として、前記ホルダ本体部に接合され、かつ前記取付け対象部位の少なくとも一部分を内部に進入させるための係合用凹部を形成する係合部材と、
を、さらに備えており、
前記係合用凹部は、前記ロールペーパの繰り出し部分を切り取る際の前記繰り出し部分の引っ張り方向と略同一方向を向いて開口していることを特徴とする、ロールペーパホルダ。
【請求項２】
ロールペーパの中心孔に差し込まれて前記ロールペーパを回転可能に支持するためのロールペーパ支持部と、
このロールペーパ支持部に支持されたロールペーパの上側に位置し、かつ基端部側が略水平な中心軸周りに回転可能に支持されているペーパ押さえ用の可動部と、
を備えている、ロールペーパホルダであって、
前記ペーパ押さえ用の可動部は、
前記ロールペーパの上面部の幅方向に延びる略直線状の領域に接触可能なペーパ押さえ部と、
このペーパ押さえ部よりも先端側かつ上方に位置し、かつ前記ロールペーパの幅方向に略直線状に延びた線状またはバー状の形態を有するペーパ切断補助部と、
前記ペーパ押さえ部および前記ペーパ切断補助部の相互間に形成され、かつ前記ロールペーパの繰り出し部分を、前記ペーパ押さえ部の下から前記ペーパ切断補助部の上側を通過させて前記ペーパ切断補助部の手前側に配するように導くための開口部と、
を有しており、
略コ字状に屈曲された線状またはバー状の部材を用いて構成されており、かつ略水平な直線状に延びた線状またはバー状の部分を有する部位として形成された前記ロールペーパ支持部、このロールペーパ支持部の後方または上方に位置する支持基部、およびこの支持基部の一端部と前記ロールペーパ支持部の基端部とを繋ぐ側部を有しているホルダ本体部と、
前記ホルダ本体部の前記支持基部に取り付けられ、かつ前記ペーパ押さえ用の可動部の基端側部分を回転可能に支持するコネクタと、
前記ロールペーパホルダを取付け対象部位に取り付けるための部材として、前記ホルダ本体部に接合され、かつ前記取付け対象部位の少なくとも一部分を内部に進入させるための係合用凹部を形成する係合部材と、
を、さらに備えており、
前記係合用凹部は、前記ロールペーパの繰り出し部分を切り取る際の前記繰り出し部分の引っ張り方向と略同一方向を向いて開口していることを特徴とする、ロールペーパホルダ。
【請求項３】
請求項２に記載のロールペーパホルダであって、
前記ペーパ押さえ用の可動部は、前記ロールペーパ支持部にロールペーパが支持されていない状態において、前記ペーパ押さえ部を前記ロールペーパ支持部に接触させることが可能な軌跡で回転するように構成されている、ロールペーパホルダ。
【請求項４】
ロールペーパの中心孔に差し込まれて前記ロールペーパを回転可能に支持するためのロールペーパ支持部と、
このロールペーパ支持部に支持されたロールペーパの上側から手前側に到る領域のいずれかに位置し、かつ基端部側が略水平な中心軸周りに回転可能に支持されているペーパ押さえ用の可動部と、
を備えている、ロールペーパホルダであって、
前記ペーパ押さえ用の可動部は、
前記ロールペーパの前面部近傍領域のうち、前記ロールペーパの幅方向に延びる略直線状の領域に接触可能なペーパ押さえ部と、
このペーパ押さえ部よりも先端側かつ手前側に位置し、かつ前記ロールペーパの幅方向に略直線状に延びた線状またはバー状の形態を有するペーパ切断補助部と、
前記ペーパ押さえ部および前記ペーパ切断補助部の相互間に形成され、かつ前記ロールペーパの繰り出し部分を、前記ペーパ押さえ部の背後から前記ペーパ切断補助部の上側を通過させて前記ペーパ切断補助部の手前側に配するように導くための開口部と、
を有しており、
略コ字状に屈曲された線状またはバー状の部材を用いて構成されており、かつ略水平な直線状に延びた線状またはバー状の部分を有する部位として形成された前記ロールペーパ支持部、このロールペーパ支持部の後方または上方に位置する支持基部、およびこの支持基部の一端部と前記ロールペーパ支持部の基端部とを繋ぐ側部を有しているホルダ本体部と、
前記ホルダ本体部の前記支持基部に取り付けられ、かつ前記ペーパ押さえ用の可動部の基端側部分を回転可能に支持するコネクタと、
前記ロールペーパホルダを取付け対象部位に取り付けるための部材として、前記ホルダ本体部に接合され、かつ前記取付け対象部位の少なくとも一部分を内部に進入させるための係合用凹部を形成する係合部材と、
を、さらに備えており、
前記係合用凹部は、前記ロールペーパの繰り出し部分を切り取る際の前記繰り出し部分の引っ張り方向と略同一方向を向いて開口していることを特徴とする、ロールペーパホルダ。
【請求項５】
請求項１ないし４のいずれかに記載のロールペーパホルダであって、
前記ペーパ押さえ用の可動部は、線状またはバー状の部材を枠状に形成した枠体部を有しており、
前記ペーパ押さえ部は、前記枠体部の左右一対の側部間に、直線状に延びる線状またはバー状の部材を架け渡すことにより設けられており、
前記枠体部の先端部は、略水平方向に延びる直線状に形成されていることにより前記ペーパ切断補助部とされ、かつ前記ペーパ切断補助部を前記ペーパ押さえ部よりも上方または手前側に配置させる手段として、前記左右一対の側部のうち、前記ペーパ押さえ部が設けられた位置またはこの位置よりも先端側の部分を上向きまたは前向きに曲げた構成とされている、ロールペーパホルダ。
【請求項６】
請求項１ないし５のいずれかに記載のロールペーパホルダであって、
前記ロールペーパ支持部の先端部には、前記ロールペーパ支持部に支持されたロールペーパの抜け止めを図るための曲げ部が設けられている、ロールペーパホルダ。
【請求項７】
請求項１ないし６のいずれかに記載のロールペーパホルダであって、
前記コネクタは、前記ペーパ押さえ用の可動部の基端部が回転可能に嵌入する凹部を先端部に有し、かつ基端部には、孔部が設けられており、
前記ホルダ本体部の支持基部には、上向きまたは前向きに突出した突出部が設けられ、かつこの突出部を前記コネクタの前記孔部に差し込むことにより、前記ホルダ本体部に対する前記コネクタの取り付けが図られている、ロールペーパホルダ。
【請求項８】
請求項１ないし７のいずれかに記載のロールペーパホルダであって、
前記係合部材は、互いに間隔を隔てて対向する一対の対向部の一端部どうしが連接部を介して接続された側面視略コ字状または略Ｕ字状の部分を有しており、前記一対の対向部どうしの相互間が、前記係合用凹部である、ロールペーパホルダ。
【請求項９】
請求項８に記載のロールペーパホルダであって、
前記一対の対向部のうち、前記ホルダ本体部から遠い側の一方の対向部は、他方の対向部よりも長寸法とされている、ロールペーパホルダ。
【請求項１０】
請求項１ないし９のいずれかに記載のロールペーパホルダを備えていることを特徴とする、キッチン。
【発明の詳細な説明】
【技術分野】
【０００１】
本発明は、キッチンペーパなどのロールペーパを保持するためのロールペーパホルダ、およびこれを備えたキッチンに関する。
【背景技術】
【０００２】
従来、ロールペーパホルダとしては、ロールペーパホルダの中心孔に差し込まれてロールペーパを回転可能に支持するロールペーパ支持部と、このロールペーパ支持部に支持されたロールペーパの上側に配されたペーパ押さえ用カバーとを組み合わせた構成のものが広く知られている。ペーパ押さえ用カバーは、基端部側が略水平な中心軸周りに回転可能に設けられ、ロールペーパが消費されてその直径が小さくなっても、ロールペーパの上面側に接触した状態を維持可能とされている。
前記した構成によれば、ペーパ押さえ用カバーを利用してロールペーパの上面部を押さえることによりロールペーパの回転を阻止し、かつこの状態でロールペーパの一部を適当な向きに引っ張ることにより、ロールペーパをミシン目線の位置において切断することが可能である。
【０００３】
しかしながら、前記従来技術においては、ロールペーパを切断する際には、ペーパ押さえ用カバーを押さえながらロールペーパの一部を引っ張る必要があり、その操作には両手を使う必要がある。したがって、その操作は必ずしも簡便であるとは言えず、改善の余地がある。
これに対し、従来においては、片手でロールペーパの一部を引っ張るだけでロールペーパを切断することが可能とされたものも提案されている（たとえば、特許文献１〜３）。ただし、従来のそのようなものは、構造が複雑であり、製造コストが高価となったり、あるいはロールペーパを切断する際のロールペーパの引っ張り方に難しいコツが必要であるなどの不利があった。
【先行技術文献】
【特許文献】
【０００４】
【特許文献１】特開２０１１−１７７４７１号公報
【特許文献２】特開２００７−８９８４９号公報
【特許文献３】特開２０１４−４２８０３号公報
【発明の概要】
【発明が解決しようとする課題】
【０００５】
本発明は、前記したような事情のもとで考え出されたものであり、構造を簡素にするとともに、ロールペーパの切断作業を片手で容易かつ適切に行なうことが可能なロールペーパホルダ、およびこれを備えたキッチンを提供することを、その課題としている。
【課題を解決するための手段】
【０００６】
上記の課題を解決するため、本発明では、次の技術的手段を講じている。
【０００７】
本発明の第１の側面により提供されるロールペーパホルダは、ロールペーパの中心孔に差し込まれて前記ロールペーパを回転可能に支持するためのロールペーパ支持部と、このロールペーパ支持部に支持されたロールペーパの上側から手前側に到る領域のいずれかに位置し、かつ基端部側が略水平な中心軸周りに回転可能に支持されているペーパ押さえ用の可動部と、を備えている、ロールペーパホルダであって、前記ペーパ押さえ用の可動部は、前記ロールペーパの上面部から前面部近傍に到る領域のうち、前記ロールペーパの幅方向に延びる略直線状の領域に接触可能なペーパ押さえ部と、このペーパ押さえ部よりも前記ペーパ押さえ用の可動部の先端側に位置し、かつ前記ロールペーパの幅方向に略直線状に延びた線状またはバー状の形態を有するペーパ切断補助部と、前記ペーパ押さえ部および前記ペーパ切断補助部の相互間に形成され、かつ前記ロールペーパの繰り出し部分(非ロール部分)を通過させて前記ペーパ切断補助部の手前側に配するように導くための開口部と、を有しており、略コ字状に屈曲された線状またはバー状の部材を用いて構成されており、かつ略水平な直線状に延びた線状またはバー状の部分を有する部位として形成された前記ロールペーパ支持部、このロールペーパ支持部の後方または上方に位置する支持基部、およびこの支持基部の一端部と前記ロールペーパ支持部の基端部とを繋ぐ側部を有しているホルダ本体部と、前記ホルダ本体部の前記支持基部に取り付けられ、かつ前記ペーパ押さえ用の可動部の基端側部分を回転可能に支持するコネクタと、前記ロールペーパホルダを取付け対象部位に取り付けるための部材として、前記ホルダ本体部に接合され、かつ前記取付け対象部位の少なくとも一部分を内部に進入させるための係合用凹部を形成する係合部材と、を、さらに備えており、前記係合用凹部は、前記ロールペーパの繰り出し部分を切り取る際の前記繰り出し部分の引っ張り方向と略同一方向を向いて開口していることを特徴としている。
【０００８】
このような構成によれば、次のような効果が得られる。
第１に、ロールペーパの繰り出し部分が、ペーパ押さえ部およびペーパ切断補助部の相互間に形成されている開口部を通過してペーパ押さえ部の手前側に配された設定状態において、前記ロールペーパの繰り出し部分の一部を下向き、または後方側（手前側とは反対側）に引っ張ると、ペーパ切断補助部およびペーパ押さえ部をロールペーパ側に変位させる力が発生し、ペーパ押さえ部がロールペーパの外面に圧接する。その結果、ロールペーパの回転が阻止され、前記引っ張り操作に起因してロールペーパが順次繰り出されてくることは防止される。したがって、ロールペーパを片手で所定方向に引っ張るだけで、ロールペーパを、このロールペーパに設けられているミシン目線などに沿って容易かつ適切に切断することができる。本発明においては、ペーパ押さえ部がロールペーパの外面に当接するよう設定されていることに加え、ペーパ切断補助部は、ペーパ押さえ部よりも上方または手前に位置しているため、ロールペーパを下向き、または後方側に引っ張った際には、ペーパ押さえ部をロールペーパに対してかなり強く圧接させる作用が得られ、ロールペーパの回転を防止する効果に優れる。このようなことから、ロールペーパの切断に際して難しいコツは不要であり、使い勝手がよい。なお、ロールペーパを適当寸法だけ繰り出す操作は、ロールペーパの一部を片手で把持してロールペーパの手前側などに引っ張ることによって円滑に行なうことができる。
第２に、本発明のロールペーパホルダは、ペーパ押さえ用の可動部が、ペーパ押さえ部、ペーパ切断補助部、およびそれらの相互間に位置する開口部を有する構成とされていればよく、その構成は容易である。たとえば、ペーパ押さえ用の可動部とは別の可動部をさらに追加して設けたり、あるいは特殊な部材を別途用いる必要はない。したがって、全体の構成を簡易とし、製造コストを廉価なものとすることができる。
第３に、ロールペーパ支持部を含むホルダ本体部も線状またはバー状の部材を用いて構成されており、かつペーパ押さえ用の可動部とホルダ本体部とがコネクタを利用して簡易に連結された構成とされているため、その製造は容易であり、ロールペーパホルダ全体の製造コストをより低減することが可能である。また、全体のデザインを良くすることもできる。
第４に、係合部材の係合用凹部に取付け対象部位の少なくとも一部分を進入させ、係合部材を取付け対象部位に係合させることにより、ロールペーパホルダを所望の取付け対象部位に容易に取り付けることができ、便利である。係合部材の係合用凹部は、ロールペーパの繰り出し部分を切り取る際の引っ張り方向と略同一方向を向いて開口しているため、ロールペーパの繰り出し部分を切り取ろうとしてこの繰り出し部分を所定方向に引っ張った際には、取付け対象部位のうち、係合用凹部に進入している部分を係合用凹部の奥部側へ進入させようとする力が発生する。したがって、ロールペーパの繰り出し部分を切り取る際に、係合部材と取付け対象部位との係合状態が不当に解除されないようにする効果も得られる。
【０００９】
本発明の第２の側面により提供されるロールペーパホルダは、本発明の第１の側面により提供されるロールペーパホルダの下位概念に相当し、ロールペーパの中心孔に差し込まれて前記ロールペーパを回転可能に支持するためのロールペーパ支持部と、このロールペーパ支持部に支持されたロールペーパの上側に位置し、かつ基端部側が略水平な中心軸周りに回転可能に支持されているペーパ押さえ用の可動部と、を備えている、ロールペーパホルダであって、前記ペーパ押さえ用の可動部は、前記ロールペーパの上面部の幅方向に延びる略直線状の領域に接触可能なペーパ押さえ部と、このペーパ押さえ部よりも先端側かつ上方に位置し、かつ前記ロールペーパの幅方向に略直線状に延びた線状またはバー状の形態を有するペーパ切断補助部と、前記ペーパ押さえ部および前記ペーパ切断補助部の相互間に形成され、かつ前記ロールペーパの繰り出し部分を、前記ペーパ押さえ部の下から前記ペーパ切断補助部の上側を通過させて前記ペーパ切断補助部の手前側に配するように導くための開口部と、を有しており、略コ字状に屈曲された線状またはバー状の部材を用いて構成されており、かつ略水平な直線状に延びた線状またはバー状の部分を有する部位として形成された前記ロールペーパ支持部、このロールペーパ支持部の後方または上方に位置する支持基部、およびこの支持基部の一端部と前記ロールペーパ支持部の基端部とを繋ぐ側部を有しているホルダ本体部と、前記ホルダ本体部の前記支持基部に取り付けられ、かつ前記ペーパ押さえ用の可動部の基端側部分を回転可能に支持するコネクタと、前記ロールペーパホルダを取付け対象部位に取り付けるための部材として、前記ホルダ本体部に接合され、かつ前記取付け対象部位の少なくとも一部分を内部に進入させるための係合用凹部を形成する係合部材と、を、さらに備えており、前記係合用凹部は、前記ロールペーパの繰り出し部分を切り取る際の前記繰り出し部分の引っ張り方向と略同一方向を向いて開口していることを特徴としている。
【００１０】
このような構成によれば、本発明の第１の側面により提供されるロールペーパホルダについて述べたのと同様な効果が得られ、ロールペーパの繰り出し部分が、ペーパ押さえ部およびペーパ切断補助部の相互間に形成されている開口部を通過してペーパ押さえ部の手前側に配された設定状態において、前記ロールペーパの繰り出し部分の一部を下向きに引っ張ることにより、ペーパ押さえ部をロールペーパの上面部に圧接させてロールペーパの繰り出しを防止しつつ、この繰り出し部分を切り取る操作を容易かつ適切に行なうことが可能である。
【００１１】
本発明において、好ましくは、前記ペーパ押さえ用の可動部は、前記ロールペーパ支持部にロールペーパが支持されていない状態において、前記ペーパ押さえ部を前記ロールペーパ支持部に接触させることが可能な軌跡で回転するように構成されている。
【００１２】
このような構成によれば、ロールペーパが消費され、かなり小径になった場合であっても、このロールペーパの上面部にペーパ押さえ部を適切に接触させることができる。したがって、ロールペーパを殆ど使い尽くすまで、またはその寸前まで、片手でロールペーパを容易に切り取る操作が可能となる。
【００１３】
本発明の第３の側面により提供されるロールペーパホルダは、本発明の第１の側面により提供されるロールペーパホルダの下位概念に相当し、ロールペーパの中心孔に差し込まれて前記ロールペーパを回転可能に支持するためのロールペーパ支持部と、このロールペーパ支持部に支持されたロールペーパの上側から手前側に到る領域のいずれかに位置し、かつ基端部側が略水平な中心軸周りに回転可能に支持されているペーパ押さえ用の可動部と、を備えている、ロールペーパホルダであって、前記ペーパ押さえ用の可動部は、前記ロールペーパの前面部近傍領域のうち、前記ロールペーパの幅方向に延びる略直線状の領域に接触可能なペーパ押さえ部と、このペーパ押さえ部よりも先端側かつ手前側に位置し、かつ前記ロールペーパの幅方向に略直線状に延びた線状またはバー状の形態を有するペーパ切断補助部と、前記ペーパ押さえ部および前記ペーパ切断補助部の相互間に形成され、かつ前記ロールペーパの繰り出し部分を、前記ペーパ押さえ部の背後から前記ペーパ切断補助部の上側を通過させて前記ペーパ切断補助部の手前側に配するように導くための開口部と、を有しており、略コ字状に屈曲された線状またはバー状の部材を用いて構成されており、かつ略水平な直線状に延びた線状またはバー状の部分を有する部位として形成された前記ロールペーパ支持部、このロールペーパ支持部の後方または上方に位置する支持基部、およびこの支持基部の一端部と前記ロールペーパ支持部の基端部とを繋ぐ側部を有しているホルダ本体部と、前記ホルダ本体部の前記支持基部に取り付けられ、かつ前記ペーパ押さえ用の可動部の基端側部分を回転可能に支持するコネクタと、前記ロールペーパホルダを取付け対象部位に取り付けるための部材として、前記ホルダ本体部に接合され、かつ前記取付け対象部位の少なくとも一部分を内部に進入させるための係合用凹部を形成する係合部材と、を、さらに備えており、前記係合用凹部は、前記ロールペーパの繰り出し部分を切り取る際の前記繰り出し部分の引っ張り方向と略同一方向を向いて開口していることを特徴としている。
【００１４】
このような構成によれば、本発明の第１の側面により提供されるロールペーパホルダについて述べたのと同様な効果が得られ、ロールペーパの繰り出し部分が、ペーパ押さえ部およびペーパ切断補助部の相互間に形成されている開口部を通過してペーパ押さえ部の手前側に配された設定状態において、前記ロールペーパの繰り出し部分の一部を後方側に引っ張ることにより、ペーパ押さえ部をロールペーパの前面部近傍に圧接させてロールペーパの繰り出しを防止しつつ、この繰り出し部分を切り取る操作を容易かつ適切に行なうことが可能である。
【００１５】
本発明において、好ましくは、前記ペーパ押さえ用の可動部は、線状またはバー状の部材を枠状に形成した枠体部を有しており、前記ペーパ押さえ部は、前記枠体部の左右一対の側部間に、直線状に延びる線状またはバー状の部材を架け渡すことにより設けられており、前記枠体部の先端部は、略水平方向に延びる直線状に形成されていることにより前記ペーパ切断補助部とされ、かつ前記ペーパ切断補助部を前記ペーパ押さえ部よりも上方または手前側に配置させる手段として、前記左右一対の側部のうち、前記ペーパ押さえ部が設けられた位置またはこの位置よりも先端側の部分を上向きまたは前向きに曲げた構成とされている。
【００１６】
このような構成によれば、ペーパ押さえ用の可動部が、線状またはバー状の部材を利用して合理的に構成されており、製造コストをより廉価にすることが可能となる。また、ペーパ押さえ用の可動部をシンプルなデザインとし、全体の見栄えもよくすることができる。
【００１９】
本発明において、好ましくは、前記ロールペーパ支持部の先端部には、前記ロールペーパ支持部に支持されたロールペーパの抜け止めを図るための曲げ部が設けられている。
【００２０】
このような構成によれば、ロールペーパ支持部の先端部からロールペーパが抜けることが、簡易な構成によって防止される。なお、ロールペーパ支持部の基端部からロールペーパが抜けることは、ロールペーパ支持部の基端部に繋がっているホルダ本体部の側部によって適切に防止することが可能である。
【００２１】
本発明において、好ましくは、前記コネクタは、前記ペーパ押さえ用の可動部の基端部が回転可能に嵌入する凹部を先端部に有し、かつ基端部には、孔部が設けられており、前記ホルダ本体部の支持基部には、上向きまたは前向きに突出した突出部が設けられ、かつこの突出部を前記コネクタの前記孔部に差し込むことにより、前記ホルダ本体部に対する前記コネクタの取り付けが図られている。
【００２２】
このような構成によれば、コネクタの構成を簡易としつつ、このコネクタを利用してホルダ本体部とペーパ押さえ用の可動部とを連結するための組立作業を容易なものとすることができる。
【００２５】
本発明において、好ましくは、前記係合部材は、互いに間隔を隔てて対向する一対の対向部の一端部どうしが連接部を介して接続された側面視略コ字状または略Ｕ字状の部分を有しており、前記一対の対向部どうしの相互間が、前記係合用凹部である。
【００２６】
このような構成によれば、係合部材の構成を簡素なものとし、製造コストの低減化などを好適に図ることができる。
【００２７】
本発明において、好ましくは、前記一対の対向部のうち、前記ホルダ本体部から遠い側の一方の対向部は、他方の対向部よりも長寸法とされている。
【００２８】
このような構成によれば、ロールペーパの繰り出し部分を切り取ろうとして繰り出し部分を引っ張った際に、係合部材がその引っ張り方向に多少傾くような事態が生じたとしても、この係合部材と取付け対象部位との係合状態が容易に解除されないようにする効果が得られる。
【００２９】
本発明の第４の側面により提供されるキッチンは、本発明の第１ないし第３の側面のいずれかにより提供されるロールペーパホルダを備えていることを特徴としている。
【００３０】
このような構成によれば、本発明のロールペーパホルダについて述べたのと同様な効果が得られる。
【００３１】
本発明のその他の特徴および利点は、添付図面を参照して以下に行なう発明の実施の形態の説明から、より明らかになるであろう。
【図面の簡単な説明】
【００３２】
【図１】本発明に係るロールペーパホルダを備えたキッチンの一例を示す概略斜視図である。
【図２】図１におけるロールペーパホルダ（ロールペーパ装着状態）の斜視図である。
【図３】（ａ）は、図２の断面図であり、（ｂ）は、ロールペーパが小径となった場合の一例を示す断面図である。
【図４】（ａ）は、図１に示すロールペーパホルダ（ロールペーパ未装着）の斜視図であり、（ｂ）は、（ａ）に示すロールペーパホルダのロールペーパ支持部にロールペーパを支持させた状態の斜視図である。
【図５】図４（ａ）の分解斜視図である。
【図６】図１に示すロールペーパホルダのロールペーパ支持部にロールペーパを支持させた状態の正面断面図である。
【図７】（ａ），（ｂ）は、図１に示すロールペーパホルダのコネクタに関連する構成の要部説明図である。
【図８】（ａ）は、本発明の他の例を示す斜視図であり、（ｂ）は、その使用状態の一例を示す断面図である。
【図９】図８（ａ）に示すロールペーパホルダの他の使用例を示す断面図である。
【発明を実施するための形態】
【００３３】
以下、本発明の好ましい実施の形態について、図面を参照して具体的に説明する。
図面において、矢印Ｆｒは、手前側（ロールペーパホルダの前方）を示す。
【００３４】
図５によく表われているように、本実施形態のロールペーパホルダＡは、ホルダ本体部１、ペーパ押さえ用の可動部２、および左右一対のコネクタ３を備えており、このコネクタ３を介してホルダ本体部１とペーパ押さえ用の可動部２とが連結される。ホルダ本体部１およびペーパ押さえ用の可動部２の各部は、いずれもステンレスなどの複数の金属製の断面円形の線状部材（またはバー状部材）を用いて構成されている。コネクタ３は、樹脂製である。
【００３５】
ホルダ本体部１は、金属製の線状部材が平面視略コ字状に屈曲された２つのコ字状部材１０ａ，１０ｂが上下に間隔を隔てるように配置され、かつこれらが相互に連結された構
成である。コ字状部材１０ａ，１０ｂの連結手段としては、上下方向に延びる第１および第２の連結杆１１，１２、および左右一対の係合部材４を２つのコ字状部材１０ａ，１０ｂに接合（溶接など）する手段が採用されている。係合部材４は、金属製の線状部材の上部が、下向き開口状の係合用凹部４０を有するフック状に曲げられ、互いに間隔を隔てて対向する一対の対向部４１の一端部（上端部）どうしが、連接部４２を介して接続された構成を有している。
【００３６】
ホルダ本体部１は、このホルダ本体部１の前部に位置するロールペーパ支持部１３、このロールペーパ支持部１３の後方に間隔を隔てて位置する支持基部１４、およびこの支持基部１４の一端部とロールペーパ支持部１３の基端部とを繋ぐ側部１５を有している。ロールペーパ支持部１３は、ホルダ本体部１を構成する金属製の線状部材の一部が上下２段で略水平に直線状に延びた形態であり、図２〜図６（図４（ａ）および図５を除く）に示すように、ロールペーパ９の中心孔９０に差し込まれてロールペーパ９を回転可能に支持可能である。
【００３７】
図６に示すように、ロールペーパ支持部１３の先端部には、ロールペーパ９の抜け止めを図るための手段として、上端がロールペーパ支持部１３の他の部分よりも適当な寸法Ｌａだけ上向きに突出した曲げ部１３ａが形成されている。曲げ部１３ａは、横向き突出状などに形成することも可能である。ロールペーパ９のロールペーパ支持部１３の基端部側への抜け止めは、ホルダ本体部１の側部１５により図られる。
【００３８】
図５において、コネクタ３は、ペーパ押さえ用の可動部２の後述する基端部２０ａが回転可能に嵌入する凹部３０を上部に有し、かつ下部には、下面開口状の孔部３１を有している。ホルダ本体部１の支持基部１４に接合された第１の連結杆１１の上部は、上向きに突出した突出部１１ａとされており、この突出部１１ａを孔部３１に差し込むことにより、ホルダ本体部１に対するコネクタ３の取り付けが図られる。
【００３９】
ペーパ押さえ用の可動部２は、金属製の線状部材を平面視略矩形の枠状に形成した枠体部２０と、ペーパ押さえ部２１とを有している。枠体部２０の基端部２０ａ（基端側線状部）は、金属製の線状部材の一部が略水平状に延びた形態を有している。この基端部２０ａが、一対のコネクタ３の凹部３０に嵌入保持されていることにより、ペーパ押さえ用の可動部２は、前記基端部２０ａおよび凹部３０の略水平な中心軸周りの矢印Ｎａ方向に回転可能に支持されている（図３を参照）。なお、図７に示すように、枠体部２０の基端部２０ａには、金属製の線状部材を用いた補助杆２９が接合されている。この補助杆２９は、一対のコネクタ３の相互間に位置することにより、枠体部２０が一対のコネクタ３に相対して水平方向に位置ずれすることを防止する位置決めストッパとしての役割を果たす。
【００４０】
図２〜図５において、ペーパ押さえ部２１は、ロールペーパ支持部１３に支持されたロールペーパ９の上面部の幅方向に延びる略直線状の領域に接触させるための部分であり、枠体部２０の左右一対の側部２０ｂに、枠体部２０とは別の金属製の線状部材を架け渡して接合することにより設けられている。ペーパ押さえ用の可動部２は、ロールペーパ支持部１３にロールペーパ９が支持されていない状態においては、ペーパ押さえ部２１をロールペーパ支持部１３に接触させることが可能な軌跡（図３（ａ）の符号Ｎｂで示す軌跡）で回転するように構成されている。
【００４１】
ペーパ押さえ用の可動部２の前端部（前端側線状部）は、ペーパ切断補助部２０ｃである。このペーパ切断補助部２０ｃは、枠体部２０の基端部２０ａと略平行となるように略水平方向に延びた直線状であり、ペーパ押さえ部２１よりも先端側かつ上方に位置するように設けられている。ペーパ切断補助部２０ｃをペーパ押さえ部２１よりも上方に位置させる手段としては、枠体部２０の左右一対の側部２０ｂのうち、ペーパ押さえ部２１が接
合された位置またはこの位置よりも先端側の部分を上向きに曲げる手段が採用されている。ペーパ押さえ部２１とペーパ切断補助部２０ｃとの相互間には、開口部２２が形成されている。この開口部２２は、図２および図３に示すように、ロールペーパ９の繰り出し部分９１（非ロール部分）を、ペーパ押さえ部２１の下からペーパ切断補助部２０ｃの上側を通過させてペーパ切断補助部２０ｃの手前側に配置させるようにガイドするための部分である。ロールペーパホルダＡは、ロールペーパ９をそのような状態に設定して使用される。
【００４２】
ロールペーパホルダＡは、図１に示すように、たとえばキッチンＫのアッパキャビネット８０からその下方に垂下して設けられたラック８１に取り付けられて使用される。ラック８１は、たとえば格子網状であり、ホルダ本体部１の支持基部１４に取り付けられた係合部材４をラック８１に掛止させることによりラック８１に対するロールペーパホルダＡの取り付けを簡単に行なうことが可能とされている。もちろん、ラック８１は、キッチンＫのアッパキャビネット８０から垂下した状態に設けられていなくてもよい他、ロールペーパホルダＡを前記したラック８１とは異なる部分に取り付けて使用することもできる。
【００４３】
次に、前記したロールペーパホルダＡの作用について説明する。
【００４４】
まず、図２および図３（ａ）に示すように、ロールペーパ９をロールペーパホルダＡに装着した状態において、ロールペーパ９を繰り出すには、たとえば図３（ａ）の矢印Ｎｃに示すように、ロールペーパ９の一部を手前側に引っ張ればよい。このようなロールペーパ９の引っ張り方向であれば、後述するロールペーパ切断時とは異なり、ペーパ押さえ部２１がロールペーパ９の上面部に強く圧接しないようにし、ロールペーパ９を所望量だけ手前側に繰り出させることが可能である。この繰り出し操作によって、図２に示すように、ペーパ切断補助部２０ｃの手前側にロールペーパ９のミシン目線９２を配置させることができる（ロールペーパ９は、複数条のミシン目線９２が所定間隔で設けられたものである）。
【００４５】
次いで、ロールペーパ９を切断するには、ロールペーパ９の繰り出し部分９１のうち、ペーパ切断補助部２０ｃの手前下方への垂れ下がり部分９１ａを片手で把持し、矢印Ｎｄで示すように、下方に引っ張ればよい。前記した垂れ下がり部分９１ａを下方に引っ張ると、ペーパ切断補助部２０ｃが下向きの力を受ける結果、ペーパ押さえ部２１がロールペーパ９の上面部に圧接し、ロールペーパ９の回転が阻止される。ペーパ切断補助部２０ｃは、ペーパ押さえ部２１よりも上方に位置しており、ペーパ切断補助部２０ｃに対するロールペーパ９の繰り出し部分９１の巻き付け角が大きいために、垂れ下がり部分９１ａの下方への引っ張りによって、ペーパ押さえ部２１をロールペーパ９の上面部に強く圧接させ、ロールペーパ９が回転することをより確実に阻止することが可能である。
【００４６】
このように、本実施形態のロールペーパホルダＡによれば、ロールペーパ９の繰り出し部分９１を手前側に適当量だけ引っ張った後に、この繰り出し部分９１を下方へ引っ張るだけで、ロールペーパ９をミシン目線９２の位置において容易かつ適切に切断することができる。ロールペーパ９の切断に際し、難しいコツは不要であり、使い勝手がよい。
【００４７】
ペーパ押さえ用の可動部２は、図３を参照して既述したように、ロールペーパ支持部１３にロールペーパ９が支持されていな状態においては、ペーパ押さえ部２１をロールペーパ支持部１３に接触させることが可能とされている。このため、図３（ｂ）に示すように、ロールペーパ９が消費されて、かなり小径になった場合であっても、このロールペーパ９の上面部にペーパ押さえ部２１を適切に接触させることが可能である。その結果、ロールペーパ９が小径になった場合であっても、片手でロールペーパ９を容易に切り取る操作を続行することが可能となる。
【００４８】
ロールペーパホルダＡは、ホルダ本体部１およびペーパ押さえ用の可動部２のそれぞれの全体を金属製の線材を加工して形成されており、かつこれらを一対のコネクタ３を用いて相対回転可能に連結した構成である。このため、ホルダ本体部１およびペーパ押さえ用の可動部２のそれぞれの製作が容易である他、ロールペーパホルダＡの組立作業も容易である。したがって、ロールペーパホルダＡの全体の製造コストを廉価にすることができる。また、全体が大きく嵩張ることも抑制されるとともに、構成部材に無駄がなく、または少なく、シンプルなデザインに形成し、見栄えもよくすることができる。
【００４９】
図８および図９は、本発明の他の実施形態を示している。これらの図において、前記実施形態と同一または類似の要素には、前記実施形態と同一の符号を付すこととし、重複説明は省略する。
【００５０】
図８に示すロールペーパホルダＡａは、ホルダ本体部１の支持基部１４に、一対の係合部材４Ａが接合された構成である。係合部材４Ａは、前記実施形態の線材を用いて形成された係合部材４とは異なり、たとえばステンレス製のプレートを断面略コ字状に折り曲げた構成であり、一対の対向部４１ａ，４１ｂの一端部どうしが連接部４２ａを介して接続され、かつ一対の対向部４１ａ，４１ｂの相互間の領域が、下向き開口状の係合用凹部４０ａとなっている。ホルダ本体部１から遠い側の対向部４１ａは、他方の対向部４１ｂよりも長寸法とされている。
支持基部１４には、ゴム製または樹脂製のリング状の緩衝材５が外嵌装着されているが、この緩衝材５は、係合部材４Ａを利用してロールペーパホルダＡａの取り付けを図る際に取付け対象部位に当接させることにより、ロールペーパホルダＡａのがたつきを抑えるのに役立つ。
【００５１】
本実施形態のロールペーパホルダＡａは、図８（ｂ）に示すように、上下方向に起立した姿勢の板状部材８３ａの上部に、一対の係合部材４Ａを係合させることによって、この板状部材８３ａに簡易に取り付けることができる。板状部材８３ａは、たとえば図１に示すフロアキャビネット８２の扉８３の前板である。係合部材４Ａの対向部４１ａは、長い寸法に形成されているため、ロールペーパ９の繰り出し部分９１を下方に引っ張り、この繰り出し部分９１を切り取る際に、係合部材４Ａが板状部材８３ａから容易に外れないようにすることが可能である。
【００５２】
図９は、前記したロールペーパホルダＡａの係合部材４Ａを、略水平状の板状部材８４ａの先端部に係合させて取り付けた状態を示す。板状部材８０ａは、たとえば図１に示すアッパキャビネット８０の棚８４の底板である。
本実施形態におけるロールペーパホルダＡａは、図１〜図８に示したロールペーパホルダＡを９０°回転させた姿勢であり、ホルダ本体部１の支持基部１４は、ロールペーパ９の上方に位置する。また、ペーパ押さえ部２１は、ロールペーパ９の前面部近傍領域に接触可能とされており、ペーパ切断補助部２０ｃは、ペーパ押さえ部２１よりも手前側かつ下方に位置している。
【００５３】
本実施形態においては、ロールペーパ９は、２つのロールペーパ支持部１３，１３Ａによって回転可能に支持されることとなる。ロールペーパ９の繰り出し部分９１は、ペーパ押さえ部２１とペーパ切断補助部２０ｃとの相互間の開口部２２を通過して矢印Ｎｅに示す下向きに垂れている状態とされる。この状態において、繰り出し部分９１を矢印Ｎｆで示す後方側に引っ張ることにより、ロールペーパ９をミシン目線の位置で切断することが可能である。この切断に際し、難しいコツなどは不要であり、ロールペーパ９の切断操作は、やはり容易である。
【００５４】
本発明は、上述した実施形態の内容に限定されない。本発明に係るロールペーパホルダおよびこれを備えたキッチンの各部の具体的な構成は、本発明の意図する範囲内において種々に設計変更自在である。
【００５５】
上述の実施形態においては、ホルダ本体部１やペーパ押さえ用の可動部２のそれぞれを線状の部材（またはバー状の部材）を用いて構成したが、本発明はこれに限定されない。たとえば、樹脂製の板状部材などを部分的に用いた構成とすることもできる。
本発明でいうロールペーパは、キッチンペーパに限らず、たとえばトイレットペーパなども含む概念である。本発明のロールペーパホルダは、基本的には、ミシン目線が設けられたロールペーパを対象とするが、やはりこれに限定されず、ミシン目線が設けられていないロールペーパを用いることもできる。この場合には、たとえばペーパ切断補助部の近傍にロールペーパ切断用の刃を設ける手段を採用してもよい。ロールペーパホルダの取付け対象部位も限定されない。
【符号の説明】
【００５６】
Ａ  ロールペーパホルダ
Ｋ  キッチン
１  ホルダ本体部
１０ａ，１０ｂ  コ字状部材
１１ａ  突出部
１３，１３Ａ  ロールペーパ支持部
１３ａ  曲げ部
１４  支持基部
１５  側部
２  ペーパ押さえ用の可動部
２０  枠体部
２０ａ  基端部（枠体部の）
２０ｂ  側部（枠体部の）
２０ｃ  ペーパ切断補助部（枠体部の先端部）
２１  ペーパ押さえ部
２２  開口部
３  コネクタ
３０  凹部
３１  孔部
４，４Ａ  係合部材
４０，４０ａ  係合用凹部
４１，４１ａ，４１ｂ  対向部
４２，４２ａ  連接部
９  ロールペーパ
９０  中心孔（ロールペーパの）
９１  繰り出し部分（ロールペーパの）
【図１】
0006668030.tif 000002
【図２】
0006668030.tif 000003
【図３】
0006668030.tif 000004
【図４】
0006668030.tif 000005
【図５】
0006668030.tif 000006
【図６】
0006668030.tif 000007
【図７】
0006668030.tif 000008
【図８】
0006668030.tif 000009
【図９】
0006668030.tif 000010